(57)【要約】      （修正有）【課題】光源として複数のＬＥＤを用い、壁面を均一な照度で照明することができるホリゾントライトを提供する。【解決手段】照射面１２の被取付部１１から遠い部分を直接光用ＬＥＤ光源２１からの直接光により照明し、照射面１２の被取付部１１に近い部分を反射光用ＬＥＤ光源２２、２３からの光を反射板２５で反射させた反射光で照明する。この際に、照射面１２の被取付部１１から遠い部分に照射される直接光用ＬＥＤ光源２１の配光レンズを、被取付部１１に近い第１の部分と、被取付部１１から遠い第２の部分とに２分し、第１の部分を広角配光部とするとともに第２の部分を中角配光部とした。【選択図】図１
2010272232.tif 000002
【特許請求の範囲】
【請求項１】
被取付部に取り付けられて、照射面の前記被取付部から遠い部分を直接光により照明する直接光用ＬＥＤ光源と、前記照射面の前記被取付部から近い部分を反射板で反射させた反射光で照明する反射光用ＬＥＤ光源とを有するホリゾントライトであって、
前記直接光用ＬＥＤ光源を構成する配光レンズを、前記被取付部から近い側の第１の部分と遠い側の第２の部分とに分割し、前記第１の部分を広角配光部とし、前記第２の部分を中角配光部とし、
前記反射板の水平面断面を凹凸形状としたことを特徴とするホリゾントライト。
【請求項２】
前記照射面の最下部を前記直接光用ＬＥＤ光源で照明するとともに、当該直接光用ＬＥＤ光源の第１の部分を遮光する遮光板を設けたことを特徴とする請求項１記載のホリゾントライト。
【請求項３】
前記遮光板により遮光された光を前記反射板を介して前記照射面に照射することを特徴とする請求項２記載のホリゾントライト。
【発明の詳細な説明】
【技術分野】
【０００１】
本発明は、テレビスタジオやステージ等の背景壁面を照明するホリゾントライトに関するものである。
【背景技術】
【０００２】
従来より、テレビスタジオやステージ等の背景壁面を照明するホリゾントライトが知られている（例えば特許文献１参照）。
図５に示すように、特許文献１に記載のホリゾントライトにおいては、壁面Ｗを照明する際に、上部を光源からの直接光により照明し、下部を反射板を用いて反射光により照明する。なお、ここではホリゾントライトが天井側に取付けられているので、直接光により照射される領域Ａの照度は、上端部から下方へ向かうにつれて、急激に低下する。
【０００３】
そこで、例えば少なくとも一つの放物曲線および楕円曲線を複数含む凹面曲線を形成し、この凹面曲線に放物曲線または楕円曲線のいずれかの曲線を少なくとも一つ付加的に接続して単一の合成曲面を形成し、反射鏡の形状をこの合成曲面とした。これにより、直接光により照射される領域Ａと、反射鏡により照射される領域Ｂを重ねることにより、壁面Ｗの全体が均一に照明されるようにしている。
【先行技術文献】
【特許文献】
【０００４】
【特許文献１】特開平０９−２９７２０６号公報（第３図）
【発明の概要】
【発明が解決しようとする課題】
【０００５】
ところで、近年、省エネおよび環境への配慮により、ＬＥＤを用いて壁面を照明するホリゾントライトが望まれている。しかしながら、光源として個々に配光レンズを有する複数のＬＥＤユニットを用いた場合には、照射面である壁面に照射ムラがでやすいという問題がある。
【０００６】
本発明は、従来の問題を解決するためになされたもので、光源として複数のＬＥＤを用い、壁面を均一な照度で照明することができるホリゾントライトを提供することを目的とする。
【課題を解決するための手段】
【０００７】
本発明のホリゾントライトは、被取付部に取り付けられて、照射面の前記被取付部から遠い部分を直接光により照明する直接光用ＬＥＤ光源と、前記照射面の前記被取付部から近い部分を反射板で反射させた反射光で照明する反射光用ＬＥＤ光源とを有するホリゾントライトであって、前記直接光用ＬＥＤ光源を構成する配光レンズを、前記被取付部から近い側の第１の部分と遠い側の第２の部分とに分割し、前記第１の部分を広角配光部とし、前記第２の部分を中角配光部とし、前記反射板の水平面断面を凹凸形状とした構成を有している。
【０００８】
この構成により、照射面の被取付部から遠い部分を直接光用ＬＥＤ光源からの直接光により照明し、照射面の被取付部に近い部分を反射光用ＬＥＤ光源からの光を反射板で反射させた反射光で照明する。この際に、照射面の被取付部から遠い部分に照射される直接光用ＬＥＤ光源の配光レンズを、被取付部に近い第１の部分と、被取付部から遠い第２の部分とに２分し、第１の部分を広角配光部とするとともに第２の部分を中角配光部とした。このため、照射面の被取付部から遠い部分における比較的被取付部に近い部分では、広い範囲に照射されるので、照度を抑えて広い範囲を均一に照明する。また、被取付部から一層遠い部分では、ある程度の指向性を持って狭い範囲に照射されるので、照度が増す。これにより、照射面の被取付部から遠い部分における照度の差を減少させることができる。さらに、反射板の水平面断面を凹凸形状としたので、照射面のうち被取付部に近い部分を照明する反射光用ＬＥＤ光源からの光は、水平方向へ広く照射され、照射面の被取付部に近い部分を均一に照射することができる。
【０００９】
また、本発明のホリゾントライトは、前記照射面の最下部を前記直接光用ＬＥＤ光源で照明するとともに、当該直接光用ＬＥＤ光源の下部を遮光する遮光板を設けた構成を有している。
【００１０】
この構成により、照射面の最下部を直接光用ＬＥＤ光源で照明するとともに、直接光用ＬＥＤ光源の下部を遮光板により遮光したので、照射面下部の不要な部分への光の照射を遮って照明することができる。
【００１１】
さらに、本発明のホリゾントライトは、前記遮光板により遮光された光を前記反射板を介して前記照射面に照射する構成を有している。
【００１２】
この構成により、照射面の最下部を照明する直接光用ＬＥＤ光源の照射光の下部の不要部分を遮光板で遮光するとともに、遮光された光を反射板に入射するように反射し、さらに反射板を介して照射面に照射するので、最下部用の直接光用ＬＥＤ光源からの光を無駄なく照射面に照射することができる。
【発明の効果】
【００１３】
本発明は、照射面の被取付部から遠い部分を直接光用ＬＥＤ光源からの直接光により照明し、照射面の被取付部に近い部分を反射光用ＬＥＤ光源からの光を反射板で反射させた反射光で照明する。この際に、照射面の被取付部から遠い部分に照射される直接光用ＬＥＤ光源の配光レンズを、被取付部に近い第１の部分と、被取付部から遠い第２の部分とに２分し、第１の部分を広角配光部とするとともに第２の部分を中角配光部としたので、照射面の被取付部に遠い部分における照度の差を減少させることができる。さらに、反射板の水平面断面を凹凸形状としたので、照射面の被取付部に近い部分を均一に照射することができるという効果を有するホリゾントライトを提供することができるものである。
【図面の簡単な説明】
【００１４】
【図１】本発明の実施形態にかかるホリゾントライトの主構成および照明の状態を示す側面図
【図２】本発明の実施形態にかかるホリゾントライトのＬＥＤ光源の正面図
【図３】（Ａ）は本発明の実施形態にかかるホリゾントライトの直接光用ＬＥＤ光源に用いるＬＥＤユニットの平面図、（Ｂ）は側面図、（Ｃ）は底面図
【図４】（Ａ）は反射板の斜視図、（Ｂ）は（Ａ）中Ｂ−Ｂ位置の断面図、（Ｃ）は（Ａ）中Ｃ−Ｃ位置の断面図
【図５】従来のホリゾントライトによる照明状態を示す説明図
【発明を実施するための形態】
【００１５】
以下、本発明の実施形態のホリゾントライトについて、図面を用いて説明する。
図１に示すように、本発明の実施形態にかかるホリゾントライト１０は、テレビスタジオやステージ等の被取付部である床面１１に配設されて、照射面である背景壁面１２を照明するのに用いることができる。
【００１６】
ホリゾントライト１０は、壁面１２の床面１１から遠い部分（ここでは上部）を直接光ＬＡ１により照明する直接光用ＬＥＤ光源２１と、壁面１２の床面１１から近い部分（ここでは下部）を反射板２５で反射させた反射光ＬＢ１、ＬＢ２で照明する反射光用ＬＥＤ光源２２、２３とを有する。また、壁面１２の最も床面１１に近い部分（ここでは最下部）を直接光ＬＡ２により照明する最下段直接光用ＬＥＤ光源２４が設けられている。
【００１７】
図２に示すように、直接光用ＬＥＤ光源２１、反射光用ＬＥＤ光源２２、２３、最下段直接光用ＬＥＤ光源２４等のＬＥＤ光源２０は、ベースプレート２６に複数個（ここでは、例えば８個）のＬＥＤユニット３０が取付けられており、ベースプレート２６は正方形状の支持板２７に取付けられている。
従って、ホリゾントライト１０の支持機構（図示省略）に支持板２７を取付け、支持板２７を所定の角度で壁面１２に対向させて照明を行う。
【００１８】
図３に示すように、ＬＥＤユニット３０は、例えばセラミックス製の基板３１の上に実装されたＬＥＤチップ３２を有し、ＬＥＤチップ３２の前方（上方）にはＬＥＤチップ３２を内包する反射板３３が設けられている。そして、反射板３３の上端には、配光レンズ３４がＬＥＤチップ３２に対向して設けられる。
これにより、基板３１から電力の供給を受けたＬＥＤチップ３２が発した光は、配光レンズ３４を通過して所定の方向へ出射される。このとき、ＬＥＤチップ３２から側方へ出射された光は、反射板３３で反射して、配光レンズ３４に入射する。
【００１９】
図３に示すように、直接光用ＬＥＤ光源２１、２４に用いられる配光レンズ３４は、被取付部である床面１１から近い側の第１の部分３４１と、床面１１から遠い側の第２の部分３４２とに２分割され、図３中左側の第１の部分３４１を広角配光部３５とし、右側の第２の部分３４２を中角配光部３６とする。広角配光部３５とは、ＬＥＤチップ３２からの光を広く配光する例えば従来より一般的な球面状の配光レンズとすることができる。また、中角配光部３６とは、ある程度の指向性を有し広角配光部３５よりも狭い範囲に配光するものである。
【００２０】
図３（Ａ）に示すように、中角配光部３６は、例えば複数のレンズ面３６１、３６２、３６３で構成することができる。各レンズ面３６１、３６２、３６３は、広角配光部３５に比して、半径が大きな球面（平面を含む）で構成することができる。これにより、中央のレンズ面３６１を通過する光は、ある程度の指向性を持って図３中右方向に出射され、半径が大きな球面レンズであるため、広角配光部３５を通過する光よりも狭い範囲でかつ高い照度で照明する。また、両側のレンズ面３６２、３６３を通過する光は主に側方に出射される。
【００２１】
これにより、壁面１２の上部を照明する直接光用ＬＥＤ光源２１に用いられるＬＥＤユニット３０の照射光は、壁面１２の上部において床面１１に近い部分（すなわち下側）に対しては、配光レンズ３４の広角配光部３５を通過することにより広い範囲に照射されるので、照度を抑えて広い範囲を均一に照明する。また、壁面１２の上部において床面１１から遠い部分（すなわち上側）に対しては、照射光が配光レンズ３４の中角配光部３６を通ってある程度の指向性を持って狭い範囲に照射されるので、照明距離が遠くなって照度が低下するのを補うことができる。
【００２２】
なお、反射光用ＬＥＤ光源２２、２３に用いられる配光レンズ３４Ｂ（図３参照）は、第１の部分３４１と第２の部分３４２の区別はない。すなわち、第２の部分３４２も第１の部分３４１と同様に、従来より一般的な球面状に形成されており、照射光は均一に広がって照射される。
【００２３】
図４に示すように、反射板２５は、被取付部である床面１１に載置あるいは取付けられる平面状の基台２５１と、基台２５１から立設された反射部２５２を有し、反射部２５２の内面は反射面２５３となっている。図４（Ｂ）に示すように、反射部２５２を水平に切断した断面（水平面断面）形状は、多数の凹凸２５４で構成された例えば波板状の部材となっている。また、図４（Ｃ）に示すように、反射部２５２を上下に切断した断面は、楕円や放物線等を組み合わせた曲線形状となっている。
従って、反射光用ＬＥＤ光源２２、２３から反射面２５３に照射された光は、凹凸２５４で反射して水平方向へ広がって反射する。また、反射面２５３の曲面形状に従って、上下方向で所定の方向へ反射される。
【００２４】
図１に示すように、壁面１２の最下部を直接光により照明する最下段直接光用ＬＥＤ光源２４の前方には、この最下段直接光用ＬＥＤ光源２４からの照射光の下部を遮光する遮光板２８が設けられている。前述したように、直接光用ＬＥＤ光源２１、２２、２４に用いられているＬＥＤユニット３０の配光レンズ３４においては、下側である第１の部分３４１が、広角配光部３５となっており、広角配光部３５を通って出射された光は遮光板２８によって遮光される。そして、配光レンズ３４において中角配光部３６となっている上側の第２の部分３４２を通る光のみが、壁面１２に照射されることになる。
【００２５】
遮光板２８の最下段直接光用ＬＥＤ光源２４に対向する面は反射面２８１となっており、広角配光部３５を通って出射された光は、反射面２８１で反射して（図１において反射光ＬＡ３参照）、反射板２５の反射面２５３に入射する。そして、反射光ＬＡ３は、反射面２５３で反射して、壁面１２に照射される。
【００２６】
以上、説明した本発明の実施形態にかかるホリゾントライト１０によれば、壁面１２の床面１１から遠い上部を直接光用ＬＥＤ光源２１からの直接光により照明する。この際に、壁面１２の上部に照射される直接光用ＬＥＤ光源２１の配光レンズ３４を、下側の第１の部分３４１と、上側の第２の部分３４２とに２分し、第１の部分３４１を広角配光部３５とするとともに第２の部分３４２を中角配光部３６とした。
【００２７】
このため、壁面１２の上部における比較的下の部分は、広角配光部３５を通過する照射光により広い範囲に照射されるので、照度を抑えて広い範囲を均一に照明する。また、壁面１２の上部における上側の部分では、中角配光部３６を通過する照射光により、ある程度の指向性を持って狭い範囲に照射されるので、直接光用ＬＥＤ光源２１から遠いことによる照度の低下を補うことができる。
【００２８】
また、壁面１２の床面１１に近い下部を反射光用ＬＥＤ光源２２、２３からの光を反射板２５で反射させた反射光ＬＢ１、ＬＢ２で照明するので、壁面１２の下部における照度の差を減少させることができる。
さらに、反射板２５の水平面断面を凹凸形状としたので、壁面１２の下部を照明する反射光用ＬＥＤ光源２２、２３からの光は、水平方向へ広く照射され、壁面１２の下部を均一に照射することができる。
【００２９】
また、壁面１２の最下部を最下段直接光用ＬＥＤ光源２４で照明するとともに、最下段直接光用ＬＥＤ光源２４の下部を遮光板２８により遮光したので、最下段直接光用ＬＥＤ光源２４を構成するＬＥＤユニット３０の広角配光部３５を通る照射光を遮光する。このため、壁面１２最下部の不要な部分への光の照射を遮って照明することができる。
【００３０】
さらに、遮光板２８で遮光された光を反射板２５に入射するように反射し、さらに反射板２５を介して壁面１２に照射するので、最下段直接光用ＬＥＤ光源２４からの光を無駄なく壁面１２に照射することができる。
【００３１】
なお、本発明のホリゾントライト１０は、前述した実施形態に限定されるものでなく、適宜な変形，改良等が可能である。
例えば、前述した実施形態にかかるホリゾントライト１０においては、ホリゾントライト１０を床面１１に取付けて使用する場合を例示したが、天井に取付けて使用する場合にも適用可能である。
【００３２】
また、前述したＬＥＤユニット３０では、中角配光部３６を３つのレンズ面３６１〜３６３で構成した場合を説明したが、中角配光部３６の構成はこれに限るものではない。例えば、中角配光部３６をさらに多数のレンズ面で構成することもできる。この場合には、隣接するレンズ面の境界をぼかすことができ、より均一に照明することができる。
【００３３】
また、前述したホリゾントライト１０においては、１個の直接光用ＬＥＤ光源２１と、２個の反射光用ＬＥＤ光源２２、２３と、１個の最下段直接光用ＬＥＤ光源２４を設けた場合を例示したが、各光源の数および配置はこれに限るものではない。
【符号の説明】
【００３４】
１０  ホリゾントライト
１１  床面（被取付部）
１２  壁面（照射面）
２１  直接光用ＬＥＤ光源
２２、２３  反射光用ＬＥＤ光源
２４  最下段直接光用ＬＥＤ光源（直接光用ＬＥＤ光源）
２５  反射板
２５４  凹凸
２８  遮光板
３４  配光レンズ
３４１  第１の部分
３４２  第２の部分
３５  広角配光部
３６  中角配光部
【図１】
2010272232.tif 000003
【図２】
2010272232.tif 000004
【図３】
2010272232.tif 000005
【図４】
2010272232.tif 000006
【図５】
2010272232.tif 000007